(57)【特許請求の範囲】
【請求項１】
光源が点灯された状態で原稿の表面を主走査方向に光走査して、該原稿の表面からの反射光をアナログ画像信号に変換し、該アナログ画像信号をデジタル信号に変換して出力することにより、前記原稿の表面画像を読み取る第１読取手段と、光源が点灯された状態で前記原稿の裏面を主走査方向に光走査して、該原稿の裏面からの反射光をアナログ画像信号に変換し、該アナログ画像信号をデジタル信号に変換して出力することにより、前記原稿の裏面画像を読み取る第２読取手段とを有し、前記第１読取手段と前記第２読取手段において異なる背景部材を用いる画像読取装置であって、
前記第１読取手段と前記第２読取手段の出力のうち、前記原稿の表面および裏面の地肌部分にそれぞれ対応する出力を地肌出力として検出する地肌出力検出手段と、
該地肌出力検出手段によって検出された前記第１読取手段と前記第２読取手段の地肌出力の比率から前記原稿の厚みを算出する厚み算出手段と、
該厚み算出手段による算出結果に基づいて、前記第１読取手段および前記第２読取手段による前記原稿の表面画像および裏面画像の読み取り時の出力を補正する出力補正手段とを設けたことを特徴とする画像読取装置。
【請求項２】
前記第１読取手段および前記第２読取手段は、異なる光学系で構成されていることを特徴とする請求項１に記載の画像読取装置。
【請求項３】
前記第１読取手段および前記第２読取手段は、同じ光学系で構成されていることを特徴とする請求項１に記載の画像読取装置。
【請求項４】
請求項１乃至３のいずれか一項に記載の画像読取装置において、
前記出力補正手段は、前記厚み算出手段による算出結果に基づいて対応する補正係数を算出し、前記第１読取手段および前記第２読取手段による前記原稿の表面画像および裏面画像の読み取り時の出力を前記算出した補正係数を用いて補正することを特徴とする画像読取装置。
【請求項５】
請求項１乃至３のいずれか一項に記載の画像読取装置において、
使用可能な原稿の厚み毎に異なる補正係数を有する補正テーブルを記憶する記憶手段を設け、
前記出力補正手段は、前記厚み算出手段による算出結果に基づいて、前記補正テーブルから対応する補正係数を読み出し、前記第１読取手段および前記第２読取手段による前記原稿の表面画像および裏面画像の読み取り時の出力を前記読み出した補正係数を用いて補正することを特徴とする画像読取装置。
【請求項６】
前記第１読取手段および前記第２読取手段は、それぞれ複数色のデジタル画像信号を出力する手段であり、
前記記憶手段は、前記補正テーブルとして前記複数色にそれぞれ対応する複数の補正テーブルを記憶する手段であり、
前記複数の補正テーブルは、それぞれ対応する色空間マトリックスを有することを特徴とする請求項５に記載の画像読取装置。
【請求項７】
前記地肌出力検出手段は、前記第１読取手段と前記第２読取手段の前記原稿全体に対応する出力から地肌出力を検出することを特徴とする請求項１乃至６のいずれか一項に記載の画像読取装置。
【請求項８】
前記地肌出力検出手段は、前記第１読取手段と前記第２読取手段の前記原稿の先端に対応する出力から地肌出力を検出することを特徴とする請求項１乃至６のいずれか一項に記載の画像読取装置。
【請求項９】
請求項１乃至８のいずれか一項に記載の画像読取装置において、
前記地肌出力検出手段によって検出された地肌出力に応じて前記原稿の色を判断する色判断手段を設けたことを特徴とする画像読取装置。
【請求項１０】
前記厚み算出手段は、前記地肌出力検出手段によって検出された前記第１読取手段と前記第２読取手段の赤色，緑色，又はブルーの地肌出力の比率から前記原稿の厚みを算出することを特徴とする請求項１乃至９のいずれか一項に記載の画像読取装置。
【請求項１１】
請求項１乃至８のいずれか一項に記載の画像読取装置において、
複数枚の原稿を１枚ずつ前記第１読取手段および前記第２読取手段によって画像読み取りが可能な位置に自動給送する自動原稿給送手段と、
該自動原稿給送手段によって１枚目の原稿が給送された場合にのみ、前記地肌出力検出手段および前記厚み算出手段の動作を許可する動作許可手段と、
前記厚み算出手段による算出結果を記憶する記憶手段とを設け、
前記出力補正手段は、前記自動原稿給送手段によって２枚目以降の原稿が給送された場合に、前記記憶手段に記憶されている前記算出結果に基づいて、前記第１読取手段および前記第２読取手段による前記２枚目以降の原稿の表面画像および裏面画像の読み取り時の出力を補正することを特徴とする画像読取装置。
【請求項１２】
請求項１乃至１１のいずれか一項に記載の画像読取装置を備え、該画像読取装置から出力されるデジタル画像信号に基づいて画像形成を行うようにしたことを特徴とする画像形成装置。
【発明の詳細な説明】
【技術分野】
【０００１】
この発明は、原稿の表裏（おもて面と裏面）の画像を読み取る両面読み取り型の画像読取装置（デジタル複合機，デジタル複写機，ファクシミリ装置等の画像形成装置に通信可能に接続された画像読取装置あるいは単体の画像読取装置）、およびその画像読取装置を搭載した画像形成装置に関する。
【背景技術】
【０００２】
上記のような画像読取装置では、原稿の表裏の画像を読み取る読取手段として、可動な読取開口部（可動ミラー部など）を有する第１読取手段（例えば原稿の表面画像を読み取る手段）と、固定された密着型の第２読取手段（例えば原稿の裏面画像を読み取る手段）とが使用されることが多い。そして、原稿の搬送性やシェーディングデータの生成を考えた場合に、第１読取手段と第２読取手段とで異なる背景部材を用いることがある。その場合、第１読取手段の背景部材はガイド板や搬送ベルトが、第２読取手段の背景部材は白板ローラがそれぞれ用いられることが既に知られている。
【０００３】
しかし、第１読取手段と第２読取手段とで異なる背景部材が使用されている場合に、薄紙原稿の画像読み取り時に背景部材の色味の影響を受けて、同じ原稿の画像を読んでも、その表裏の読み取り画像で色味に差が生じる。特に、無彩色では、僅かな色づきで異なる色に見えるようになるという問題があった。なお、色味とは、色の濃淡やずれの具合、色合い、あるいは色加減のことを云う。
上記問題をもう少し詳細に説明する。
【０００４】
原稿の表裏画像を読み取る際に、第１読取手段と第２読取手段とをそれぞれ構成するセンサに入射される光には、主に以下の２つがある。
（１）原稿からの反射光
（２）背景部材からの反射光
第１読取手段と第２読取手段とで異なる背景部材を使用している場合、第１読取手段と第２読取手段とでセンサに入射される原稿からの反射光は変わらない。
【０００５】
しかし、背景部材からの反射光は、使用している背景部材の分光特性の影響を受けるため、第１読取手段と第２読取手段とでセンサに入射される光量に差異が生じる。そして、原稿が薄くなるほど、原稿からの反射光の割合が減少し、背景部材からの反射光の割合が増加する。このように、背景部材の分光特性が異なることで、薄紙原稿の表裏画像の読み取り時に、その表裏の読み取り画像で色味に差異が生じる。
【０００６】
そこで、例えば特許文献１に見られるようなものが提案されている。
特許文献１には、原稿の表裏から読み取った表裏画像の色を合わせるため、画像読取装置自体が色補正チャートを出力し、色域全体あるいは特定の色相を基準に表裏画像の色を合わせる技術について開示されている。
【発明の概要】
【発明が解決しようとする課題】
【０００７】
しかしながら、特許文献１に記載のものでも、上述したような背景部材の影響による表裏画像の色味差という問題は解消できていない。
特許文献１に記載のものでは、出力した色補正チャートの紙厚と紙種が一致した場合に特定の色相のみ表裏で色を合わせる。しかし、薄紙原稿でチャートを作成した場合、それを表裏で読み取る時点で背景部材の影響を受けることになり、適切な補正ができない。
【０００８】
この発明は、上記の点に鑑みてなされたものであり、第１読取手段と第２読取手段とで異なる背景部材が使用されている場合でも、それらの背景部材の影響による表裏画像の色味差の発生を回避できるようにすることを目的とする。
【課題を解決するための手段】
【０００９】
この発明は、光源が点灯された状態で原稿の表面（おもて面）を主走査方向に光走査して、その原稿の表面からの反射光をアナログ画像信号に変換し、そのアナログ画像信号をデジタル信号に変換して出力することにより、上記原稿の表面画像を読み取る第１読取手段と、光源が点灯された状態で上記原稿の裏面を主走査方向に光走査して、その原稿の裏面からの反射光をアナログ画像信号に変換し、そのアナログ画像信号をデジタル信号に変換して出力することにより、上記原稿の裏面画像を読み取る第２読取手段とを有し、上記第１読取手段と上記第２読取手段において異なる背景部材を用いる画像読取装置であって、上記の目的を達成するため、以下のようにしたことを特徴とする。
【００１０】
この発明による画像読取装置は、上記第１読取手段と上記第２読取手段の出力のうち、上記原稿の表面および裏面の地肌部分にそれぞれ対応する出力を地肌出力として検出する地肌出力検出手段と、それによって検出された上記第１読取手段と上記第２読取手段の地肌出力の比率から上記原稿の厚みを算出する厚み算出手段と、それによる算出結果に基づいて、上記第１読取手段および上記第２読取手段による上記原稿の表面画像および裏面画像の読み取り時の出力を補正する出力補正手段とを設けたものである。
【発明の効果】
【００１１】
この発明の画像読取装置によれば、第１読取手段と第２読取手段とで異なる背景部材が使用されている場合でも、それらの背景部材の影響による表裏画像の色味差の発生を回避することができる。
【図面の簡単な説明】
【００１２】
【図１】この発明の第１実施形態である画像読取装置の機構部の構成例を示す図である。
【図２】その画像読取装置の制御系の構成例を示すブロック図である。
【図３】図１，図２の第２読取部２５の制御系の要部構成例を示すブロック図である。
【図４】図１の第１読取部２０の代わりに使用するスキャナ方式の第１読取部の概略構成例を示す縦断正面図である。
【図５】図１の第１読取部２０によって原稿表面の画像を読み取る際のセンサへの入射光の説明に供する説明図である。
【００１３】
【図６】原稿の紙厚に対する背景部材の影響による原稿表面読み取り時のＲＧＢ出力の特性例を示す線図である。
【図７】同じく原稿表面読み取り時のＲＧＢ比率の特性例を示す線図である。
【図８】同じく原稿裏面読み取り時のＲＧＢ出力の特性例を示す線図である。
【図９】同じく原稿裏面読み取り時のＲＧＢ比率の特性例を示す線図である。
【図１０】原稿の紙厚に対する原稿表裏の各読み取り時のレッドの出力の特性例を示す線図である。
【００１４】
【図１１】同じくレッドの出力比率の特性例を示す線図である。
【図１２】図１１に示した関係に基づいた補正テーブルの概念の説明に供する線図である。
【図１３】その補正テーブルの内容を示す図である。
【図１４】図７に示した原稿の紙厚に対する原稿表面読み取り時のＲＧＢ比率の特性の一部を数値化したものである。
【図１５】原稿表裏の各読み取り時のレッドの出力比率に対する原稿紙厚の特性例を示す線図である。
【００１５】
【図１６】図７に示した原稿の紙厚に対する背景部材の影響による原稿表面読み取り時のＲＧＢ比率の特性に相当する線図である。
【図１７】原稿全域で地肌を検出する処理の説明に供する説明図である。
【図１８】原稿先端で地肌を検出する処理の説明に供する説明図である。
【図１９】補正係数に対応する色空間マトリックスの一例を示す図である。
【図２０】図２に示した本体制御部１１１およびコントローラ部１００によるこの発明に関わる具体的な処理の一例を示すフロー図である。
【００１６】
【図２１】この発明の第２実施形態である画像読取装置の制御系の機能構成例を示すブロック図である。
【図２２】図２１に示した画像読取装置における全域検出方式と先端検出方式を用いた連続動作を従来の読み取り方式を用いた連続動作と比較して示すタイミング図である。
【図２３】同じく全域検出方式を用いた原稿両面に対する読み取り動作の第１例を示すフロー図である。
【図２４】同じく先端検出方式を用いた原稿両面に対する読み取り動作の第１例を示すフロー図である。
【図２５】同じく全域検出方式先端と先端検出方式を前原稿との比較により切り替える原稿両面に対する読み取り動作の一例を示すフロー図である。
【００１７】
【図２６】同じく全域検出方式を用いた原稿両面に対する読み取り動作の第２例を示すフロー図である。
【図２７】同じく全域検出方式を用いた原稿両面に対する読み取り動作の第２例を示すフロー図である。
【図２８】同じく原稿裏面の読み取り画像データのみに実施する色味差補正を含む全域検出方式と先端検出方式を用いた連続動作を示すタイミング図である。
【図２９】この発明の第３実施形態である画像形成装置の機構部の構成例を示す全体構成図である。
【発明を実施するための形態】
【００１８】
以下、この発明を実施するための形態について説明する。
以下の実施形態では、１パス両面同時読み取りを行うのに際して、以下の特徴を有する。つまり、原稿が薄くなるほど、原稿を透過する光が増加して出力が低下するが、低下の挙動は背景部材の反射光が異なることで表裏出力の変化に差異が生じる。その時の出力比率は、原稿の厚み（以下「紙厚」ともいう）に応じて変化する。この比率の変化より紙厚を特定し、対応している紙厚での背景部材の影響を排除する補正係数（背景部材の色味差補正係数）を用いて表面および裏面全域を補正することが特徴になっている。
【００１９】
そこで、その特徴について、図１〜図２９を参照して具体的に説明する。なお、以下の実施形態では、読取原稿（以下単に「原稿」ともいう）を固定の読取部に搬送し、所定の速度で搬送しながら原稿の画像読み取りを行う自動原稿給送機能を有する画像読取装置を使用する例について説明する。また、説明の便宜上、原稿の表面又は裏面の画像を読み取ることと、原稿の表面又は裏面を読み取ることを同義とする。更に、原稿は紙を用いたものに限らないが、以下の実施形態では紙を用いたものとする。
【００２０】
〔第１実施形態〕
まず、この発明の第１実施形態である画像読取装置の構成について説明する。
図１は、その画像読取装置の機構部の構成例を示す図である。
図２は、その画像読取装置の制御系の構成例を示すブロック図である。なお、図２では、図示の都合上、図１の第１読取部２０の図示を省略している。
【００２１】
この第１実施形態の画像読取装置は、自動原稿給送手段である自動原稿給送装置（以下「ＡＤＦ」という）に原稿の表裏両面の画像を略同時に読み取るための第１，第２読取部を備えた両面同時読み取り型の画像読取装置（両面同時読取装置）である。
この画像読取装置は、図１に示すように、原稿束をセットする原稿セット部Ａ、そのセットされた原稿束から１枚毎に原稿を分離して給送する分離給送部Ｂ、および分離給送部Ｂによって給送された原稿を一次突き当て整合する働きと、整合後の原稿を引き出し搬送する働きのレジスト部Ｃを備えている。
【００２２】
また、レジスト部Ｃによって搬送される原稿をターンさせて、その読み取り面（片面原稿であれば画像面，両面原稿であれば一方の面である表面）を読み取り側（下方）に向けて搬送するターン部Ｄ、および原稿の表面画像をコンタクトガラス１８の下方より読み取る第１読取搬送部Ｅも備えている。
さらに、読み取り後の原稿（両面原稿）の裏面画像を読み取る第２読取搬送部Ｆ、表面画像又は両面画像の読み取りが完了した原稿を機外に排出する排紙部Ｇ、および読み取り完了後の原稿を積載保持するスタック部Ｈも備えている。
また、図２に示すように、上述した各搬送動作の駆動を行う各モータ１０１〜１０５、および一連の動作を制御するコントローラ部１００も備えている。
【００２３】
画像読み取りを行う原稿束１をセットするのは、原稿セット部Ａの可動原稿テーブル３を含む原稿テーブル２上であり、ユーザが原稿束１を画像面（両面原稿であれば表面）が上向きの状態でセットする。更に、原稿束１の幅方向（搬送方向と直交する方向）の位置決めを図示しないサイドガイドによって行う。原稿のセットは、セットフィラ４および原稿セットセンサ５により検知され、その検知情報がコントローラ部１００からインタフェース（以下「Ｉ／Ｆ」ともいう）１０７により本体制御部１１１へ送信される。
【００２４】
さらに、原稿テーブル２のテーブル面に設けられた原稿長さ検知センサ３０又は３１（反射型センサ又は原稿１枚でも検知可能なアクチェータ・タイプのセンサが用いられる）により、原稿の搬送方向の長さの概略が判定される。なお、その判定を可能にするため、少なくとも同一原稿サイズの縦か横かを判断可能なセンサ配置が必要となる。
可動原稿テーブル３は、底板上昇モータ１０５により図１に示すａ，ｂ方向に上下動可能な構成になっていて、通常は底板ＨＰセンサ６によって検知されるホームポジション（ＨＰ）に位置している。
【００２５】
その後、原稿がセットされたことをセットフィラ４および原稿セットセンサ５によって検知されると、その検知情報を受けたコントローラ部１００が、底板上昇モータ１０５を正転させて、原稿束１の最上面がピックアップローラ７と接触する位置まで可動原稿テーブル３を上昇させる。
ピックアップローラ７は、ピックアップモータ１０１によりカム機構で図１に示すｃ，ｄ方向に動作すると共に、可動原稿テーブル３が上昇し、可動原稿テーブル３上の原稿上面により押されてｃ方向に上がり、給紙適正位置センサ８により上限が検知可能となっている。
【００２６】
本体操作部１０８上のプリントキーが押下され、その旨がＩ／Ｆ１０６を介して本体制御部１１１へ通知され、その本体制御部１１１からＩ／Ｆ１０７を介してコントローラ部１００へ原稿給紙信号が送信されると、ピックアップローラ７は給紙モータ１０２の正転によりコロが回転駆動し、原稿テーブル２上の数枚（理想的には１枚）の原稿をピックアップする。回転方向は、最上位の原稿を給紙口に搬送（給紙）する方向である。
給紙ベルト９は給紙モータ１０２の正転により給紙方向に駆動され、分離給送部Ｂのリバースローラ１０は給紙モータ１０２の正転により給紙と逆方向に回転駆動され、最上位の原稿とその下の原稿とを分離して、最上位の原稿のみを給紙できる構成となっている。
【００２７】
さらに詳しく説明すると、リバースローラ１０は給紙ベルト９と所定圧で接し、給紙ベルト９と直接接している時、又は原稿１枚を介して接している状態では給紙ベルト９の回動につられて反時計方向に連れ回りし、原稿が万が一２枚以上給紙ベルト９とリバースローラ１０との間に侵入した時には、連れ回り力がトルクリミッタのトルクよりも低くなるように設定されている。そして、リバースローラ１０は本来の駆動方向である時計方向に回転駆動して、余分な原稿を押し戻す働きをし、重送が防止される。
【００２８】
給紙ベルト９とリバースローラ１０との作用によって１枚に分離された原稿は、給紙ベルト９によって更に送られ、レジスト部Ｃの突き当てセンサ１１によって先端が検知され、更に進んで停止しているプルアウトローラ１２に突き当たる。
そのプルアウトローラ１２に突き当たった原稿は、突き当てセンサ１１の検知時点から所定量定められた距離だけ送られ、結果的には、プルアウトローラ１２に所定量撓みを持って押し当てられた状態で給紙モータ１０２を停止させることにより、給紙ベルト９の駆動が停止し、待機状態となる。
【００２９】
このとき、ピックアップモータ１０１を回転させることでピックアップローラ７を原稿上面から退避させ、原稿を給紙ベルト９の搬送力のみで送ることにより、原稿先端は、プルアウトローラ１２の上下ローラ対のニップに進入し、先端の整合（スキュー補正）が行われる。
プルアウトローラ１２は、上記スキュー補正の機能を有すると共に、分離後にスキュー補正された原稿を中間ローラ１４まで搬送するためのローラであり、給紙モータ１０２の逆転により駆動される。また、この時（給紙モータ１０２逆転時）、プルアウトローラ１２と中間ローラ１４は駆動されるが、ピックアップローラ７と給紙ベルト９は駆動されていない。
【００３０】
原稿幅センサ１３は、奥行き方向に複数個並べられ、プルアウトローラ１２により搬送された原稿の搬送方向（副走査方向）に直交する幅方向（主走査方向）のサイズを検知する。
また、原稿の搬送方向の長さは、原稿の先端と後端を突き当てセンサ１１で検知し、その先端検知時点から後端検知時点まで給紙モータ１０２の出力パルスをカウントすることによって検知する。
プルアウトローラ１２および中間ローラ１４の駆動により、レジスト部Ｃからターン部Ｄに原稿が搬送される際には、レジスト部Ｃでの搬送速度を第１読取搬送部Ｅでの搬送速度よりも高速に設定して原稿を第１読取搬送部Ｅへ送り込む処理時間の短縮が図られている。
【００３１】
原稿の先端が読取入口センサ１５によって検出されると、読取入口ローラ１６の上下ローラ対のニップに原稿の先端が進入する前に、原稿搬送速度を読取搬送速度と同速にするために減速を開始する。同時に、読取モータ１０３を正転駆動して読取入口ローラ１６，第１読取ローラ１９，読取出口ローラ２３，第２読取ローラ２６，およびＣＩＳ出口ローラ２７を駆動する。
原稿の先端をレジストセンサ１７にて検知すると、コントローラ部１００が、所定の搬送距離をかけて減速させ、第１読取手段である第１読取部２０による読取位置の手前で一時停止させると共に、本体制御部１１１へＩ／Ｆ１０７を介してレジスト停止信号を送信する。
【００３２】
その後、コントローラ部１００が本体制御部１１１より読取開始信号を受信すると、レジスト停止していた原稿は、第１読取部２０による読取位置に先端が到達するまでに所定の搬送速度に立ち上がるように増速されて搬送される。
そして、読取モータ１０３の出力パルスをカウントすることによって検出された原稿の先端が第１読取部２０による読取位置に到達するタイミングで、コントローラ部１００により本体制御部１１１に対して原稿の第１面（表面）の副走査方向有効画像領域を示すゲート信号の送信が開始され、第１読取部２０による読取位置を原稿の後端が抜けるまで送信される。
【００３３】
片面原稿の画像読み取りを行う場合には、第１読取搬送部Ｅを通過した原稿は第２読取搬送部Ｆの第２読取部２５を経て排紙部Ｇへ搬送される。この際、コントローラ部１００が排紙センサ２４により原稿の先端を検知すると、排紙モータ１０４を正転駆動して排紙ローラ２８を回転させる。また、排紙センサ２４による原稿の先端検知からの排紙モータ１０４の出力パルスをカウントすることにより、原稿の後端が排紙ローラ２８の上下ローラ対のニップから抜ける直前に排紙モータ１０４の駆動速度を減速させて、スタック部Ｈを構成する排紙トレイ２９上に排出される原稿が飛び出さないように制御される。
【００３４】
両面原稿の画像読み取りを行う場合には、コントローラ部１００が排紙センサ２４にて原稿の先端を検知してから読取モータ１０３の出力パルスをカウントすることにより、第２読取手段である第２読取部２５による読取位置に原稿先端が到達するタイミングで、コントローラ部１００により本体制御部１１１に対して原稿の第２面（裏面）の副走査方向有効画像領域を示すゲート信号の送信が開始され、第２読取部２５の読取位置を原稿の後端が抜けるまで送信される。
【００３５】
ここで、本体制御部１１１は、ＣＰＵ，ＲＯＭ，ＲＡＭ，およびフラッシュメモリ等の不揮発性メモリを含むマイクロコンピュータを構成している。よって、本体制御部１１１内のＣＰＵが、ＲＯＭや不揮発性メモリからＲＡＭに読み込んだプログラムを実行し、コントローラ部１００等を制御することにより、地肌出力検出手段，厚み算出手段，出力補正手段，および色判断手段としての機能を果す。
【００３６】
また、第１読取ローラ１９は、第１読取部２０における原稿の浮きを抑えるためのものである。搬送ガイド３２は、第１読取ローラ１９による搬送をガイドすると共に、第１読取部２０におけるシェーディングデータ（シェーディング補正用の基準白データ）を取得するための基準白部を兼ねる背景部材である。第２読取ローラ２６は、第２読取部２５における原稿の浮きを抑えると同時に、第２読取部２５におけるシェーディングデータを取得するための基準白部を兼ねる背景部材である。
なお、第１読取部２０の代わりに、スキャナ方式の読取部を使用することもできる。それについては、追って詳細に説明する。
【００３７】
次に、図１，図２の第２読取部２５の制御系の要部構成について説明する。
図３は、その第２読取部２５の制御系の要部構成例を示すブロック図である。なお、第１読取部２０の制御系も同様の構成なので、その図示および説明は省略する。
第２読取部２５は、ＣＩＳによる読み取り方式を用いた画像読取部であり、ＬＥＤアレイ，蛍光灯，又は冷陰極管などからなる照明手段である光源部２００を備えている。
【００３８】
また、主走査方向（原稿幅方向に対応する方向）に並ぶ複数のセンサＩＣチップ（以下「センサチップ」ともいう）２０１と、その各センサチップ２０１に個別に接続された複数のアンプ回路２０２、およびその各アンプ回路２０２に個別に接続された複数の各Ａ／Ｄ変換手段である各Ａ／Ｄコンバータ２０３も備えている。
さらに、その各Ａ／Ｄコンバータ２０３の出力信号であるデジタル画像信号（以下「画像データ」ともいう）にはそれぞれ信号成分以外に黒レベルオフセットがあり、これを除去する複数の黒補正部２０４も備えている。
さらにまた、画像処理部２０５，フレームメモリ２０６，出力制御回路２０７，Ｉ／Ｆ回路２０８も備えている。
複数のセンサチップ２０１はそれぞれ、等倍密着イメージセンサと称される光電変換素子と集光レンズとを備えたものである。
【００３９】
ここで、第２読取部２５による読取位置に原稿が進入するのに先立って、コントローラ部１００から光源部２００に点灯ＯＮ信号が送られる。
これにより、光源部２００が点灯して、その光を原稿の画像面に向けて照射し、その画像面を主走査方向（ライン方向）に光走査する。そして、原稿の画像面で反射された反射光は、各センサチップ２０１においてそれぞれ、集光レンズによって光電変換素子に集光されてライン毎に光電変換され、アナログ画像信号として読み取られる。
各センサチップ２０１でそれぞれ読み取られたアナログ画像信号は、対応する各アンプ回路２０２によってそれぞれ増幅された後、対応する各Ａ／Ｄコンバータ２０３によってそれぞれデジタル画像信号に変換される。
【００４０】
これらデジタル画像信号は、対応する各黒補正部２０４でそれぞれオフセット成分を除去するオフセット補正（黒レベル補正）が行われ、画像処理部２０５に入力されてシェーディング補正などが施された後、フレームメモリ２０６に一時記憶される。
なお、第２読取部２５では、画像処理部２０５がシェーディング補正を行うため、光源部２００を含む各部を用いてシェーディング補正用の基準白データ（シェーディングデータ）を生成する処理も行う。
【００４１】
フレームメモリ２０６に一時記憶されたデジタル画像信号は、出力制御回路２０７によって本体制御部１１１に受入可能なデータ形式に変換された後、Ｉ／Ｆ回路２０８を経由して本体制御部１１１に出力される。
なお、コントローラ部１００からは原稿の先端が第２読取部２５による読取位置に到達するタイミング（そのタイミング以降の画像データが有効データとして扱われる）を知らせるためのタイミング信号や光源部２００の点灯信号、電源等が出力されるようになっている。
【００４２】
この実施形態では、第１読取部２０，第２読取部２５は、いずれも等倍密着イメージセンサを用いた（ＣＩＳによる読み取り方式を用いた）構成例として記載しているが、例えば縮小光学系を用いた（ＣＣＤによる読み取り方式を用いた）構成であっても何ら問題は無い。
そこで、図１の第１読取部２０の代わりに使用する、図１のスタック部Ｈの下方に設置される縮小光学系を用いた第１読取部について説明する。
【００４３】
図４は、その縮小光学系を用いた第１読取部の機構部の構成例を示す図である。
この第１読取部３０１は、スキャナ装置であり、搬送中の原稿の画像を読み取るための読取窓に相当するコンタクトガラス１８と、原稿を載置する原稿ガラスであるコンタクトガラス（プラテンガラス）３０３とを備えている。また、原稿の露光用の光源部３０４および第１反射ミラー３０５からなる第１キャリッジ３０６と、第２反射ミラー３０７および第３反射ミラー３０８からなる第２キャリッジ３０９も備えている。更に、イメージセンサであるＣＣＤ（Charge Coupled Devices）３１０と、ＣＣＤ３１０に結像するためのレンズユニット３１１も備えている。
【００４４】
ＣＣＤ３１０は、センサ基板３１３上に設けられている。このセンサ基板３１３は、ＣＣＤ３１０が出力する画像信号に対して各種の信号処理を施す信号処理回路（図３と同様な回路）が搭載された信号処理基板３１４と、接続ケーブル３１５によって接続されている。
光源部３０４、第１，第２，第３反射ミラー３０５，３０７，３０８、およびレンズユニット３１１は、走査光学系を構成する。
【００４５】
光源部３０４は、コンタクトガラス１８，３０３の読み取り面に対して、所定角度で光を照射し、背景部材である図１の搬送ガイド３２又は原稿で反射した光は、第１，第２，第３反射ミラー３０５，３０７，３０８およびレンズユニット３１１を経由してＣＣＤ３１０に入射する。
ＣＣＤ３１０は、入射光量に対応する電圧をアナログ画像信号として出力する。
第１，第２キャリッジ３０６，３０９は、搬送中の原稿の読み取り時には停止しているが、スキャンモード時には、図示しないステッピングモータの駆動により、コンタクトガラス３０３上に載置された原稿の読み取り面とＣＣＤ３１０との間の距離を一定に保ちながら副走査方向（矢印Ａ方向）に移動し、原稿を露光走査する。
【００４６】
次に、図１の第１読取部２０によって原稿表面の画像を読み取る際のセンサへの入射光について説明する。なお、第２読取部２５によって原稿裏面の画像を読み取る際のセンサへの入射光も略同様なので、図示および説明は省略する。
図５は、その入射光の説明に供する説明図である。なお、図示の都合上、第１読取部２０と搬送ガイド３２との位置関係を図１とは逆にしている。また、第２読取部２５を構成する各部と対応する部分には同一符号を付している。
【００４７】
第１読取部２０において、光源部２００からの照射光はガラス２２０を通って背景部材である搬送ガイド３２又は原稿Ｐに照射され、搬送ガイド３２又は原稿Ｐからの反射光（拡散光）は集光レンズである屈折率分布型レンズ（例えばセルフォック（登録商標）・レンズ・アレイ）２２１を介してセンサ基板２２２上のイメージセンサ（光電変換素子）２２３によって受光され、光電変換されることでアナログ画像信号に変換される。
【００４８】
第１読取部２０によって原稿表面の画像を読み取る際にイメージセンサ（以下単に「センサ」ともいう）２２３に入射される光には、図５の（ａ）に示す原稿Ｐからの反射光と、同図の（ｂ）に示す背景部材である搬送ガイド３２からの反射光の２パターンがある。
そして、原稿Ｐが厚ければ、原稿Ｐを透過する光が減少し、搬送ガイド３２からの反射光の影響は小さくなるが、原稿Ｐが薄ければ、搬送ガイド３２からの反射光の影響は大きくなる。
【００４９】
次に、具体的な背景部材の影響によるＲＧＢバランス（ＲＧＢ出力とＲＧＢ比率）の変化について説明する。ここでは、図１の第１読取部２０で原稿表面の地肌（以下単に「原稿表面」ともいう）を、第２読取部２５で原稿裏面の地肌（以下単に「原稿裏面」ともいう）をそれぞれ読み取る（検出する）場合について説明する。なお、以下の「Ｒ」はレッド（Ｒｅｄ）を、「Ｇ」はグリーン（Ｇｒｅｅｎ）を、「Ｂ」はブルー（Ｂｌｕｅ）をそれぞれ示す。
【００５０】
図６は、原稿の紙厚を変化させた場合における、その紙厚に対する背景部材（搬送ガイド３２）の影響による原稿表面読み取り時のＲＧＢ出力（ＲＧＢデジタル画像信号の階調レベル）の特性例を示す線図である。
図７は、原稿の紙厚を変化させた場合における、その紙厚に対する背景部材の影響による原稿表面読み取り時のＲＧＢ比率の特性例を示す線図である。
図８は、原稿の紙厚を変化させた場合における、その紙厚に対する背景部材（第２読取ローラ２６）の影響による原稿裏面読み取り時のＲＧＢ出力の特性例を示す線図である。
図９は、原稿の紙厚を変化させた場合における、その紙厚に対する背景部材の影響による原稿裏面読み取り時のＲＧＢ比率の特性例を示す線図である。
【００５１】
この例では、原稿表面を読み取る第１読取部２０が用いる背景部材は、ブルーの色味が強くグリーンの色味が弱いものとし、原稿裏面を読み取る第２読取部２５が用いる背景部材は、グリーンの色味が強くレッドの色味が弱い場合とする。
なお、図７および図９に示したＲＧＢ比率の演算（算出）式のうち、レッド（Ｒ）の比率は、以下の演算式（数１）によって求めることができる。
レッドの比率
＝レッドの出力／（レッドの出力＋グリーンの出力＋ブルーの出力）・・・数１
グリーン，ブルーの比率は、数１の分子をそれぞれグリーン，ブルーの出力に置き換えればよい。
【００５２】
図６および図８より、原稿の紙厚が薄くなると、その原稿からの反射光が減り、出力が減少する。しかし、背景部材からの反射光がセンサに入射されるため、ＲＧＢ出力の減少の挙動は異なる。そして、その減少の挙動が異なることにより、図７および図９に示すようにＲＧＢ比率に変化が生じ、厚紙の場合と比較して色味が変化する（特に無彩色部では僅かな色づきが目立つ）。
【００５３】
また、ＲＧＢ比率の変化は、異なる背景部材を使用していることで第１読取部２０と第２読取部２５で変化の挙動が変わる。つまり、薄紙原稿の表裏面を読み取った場合に表面と裏面の色味が異なる。
今回の例では、第１読取部２０の背景部材はブルーの色味が強いため、原稿が薄くなるほどブルーの比率が高くなる。第２読取部２５の背景部材はグリーンの色味が強いため、原稿が薄くなるほどグリーンの比率が高くなる。
このとき、厚紙で無彩色だったものが、薄紙になるほど表面は青みが増し、裏面は緑色が強くなる。
【００５４】
ここで、背景部材の影響による表裏画像の色味差の発生を回避することが、この発明の目的である。そのため、出力補正を行う際に必要となる補正テーブルの作成方法に関して説明する。ここでも、図１の第１読取部２０で原稿表面を、第２読取部２５で原稿裏面をそれぞれ読み取る場合について説明する。なお、図２の本体制御部１１１は、補正テーブルを作成する際には、同じ種類の原稿で厚みを変化させた場合における、その各紙厚に対する原稿表裏（原稿の表面と裏面）の各読み取り時の出力（以下単に「原稿表裏の出力」ともいう）を求めて、出力比率を算出する。この例では、レッドの出力比率より原稿の紙厚を算出し、紙厚１００〔ｇ／ｍ2〕の場合に原稿表裏の出力を２４５〔ｄｉｇｉｔ〕に揃えている。出力比率等の算出は、コントローラ部１００が行ってもよい。
【００５５】
図１０は、原稿を同じ種類の紙で厚さを変えた場合における、その紙厚に対する原稿表裏の各読み取り時のレッドの出力（原稿表裏のレッドの出力）の特性例を示す線図である。
図１１は、原稿を同じ種類の紙で厚さを変えた場合における、その紙厚に対する原稿表裏のレッドの出力比率の特性例を示す線図である。
図１２は、図１１に示した関係に基づいた補正テーブルの概念の説明に供する線図である。
図１３は、その補正テーブルの内容を示す図である。
【００５６】
原稿表裏の各読み取りで異なる背景部材を使用している場合、図１０に示すように、原稿が薄くなるにつれて背景部材からの反射光の影響が原稿表裏で変化し、その原稿表裏の出力に差異が生じる。つまり、原稿が薄くなるほど、その原稿を透過する光が増加して出力が低下するが、その低下の挙動は背景部材の反射光が異なることで、原稿表裏の出力の変化に差異が生じる。そして、図１１に示すように、原稿の紙厚に応じて、原稿表裏の出力比率が変化する。図１１の例では、原稿の紙厚が薄くなるにつれて原稿表裏の出力比率は１００％から離れていく。このとき、本体制御部１１１は、原稿表裏の出力比率に応じて、図１２に示す関係より、図１３に示すような補正テーブルを作成する。この補正テーブルは、工程で作成し、本体制御部１１１に内蔵されている（外付けされたものでもよい）記憶手段である図示しないフラッシュメモリ等の不揮発性メモリに格納しておく。
【００５７】
例えば、原稿表裏の出力比率が９６．５〔％〕だった場合、その出力比率から紙厚を特定(算出)して表面全域に対して補正係数α（２）を演算し、裏面全域に対しては補正係数β（２）を演算することで、原稿表裏の各読み取り（第１読取部２０と第２読取部２５の読み取り）で使用する背景部材の影響による色味の変化を補正する。
すなわち、原稿表裏の出力比率の変化より紙厚を特定（算出）し、対応している紙厚での背景部材の影響を排除する補正係数を用いて、第１読取部２０および第２読取部２５による原稿の表面全域および裏面全域の読み取り時の出力を表裏画像の色味差が発生しないように補正する。つまり、背景部材の影響による表裏画像の色味の変化を補正する。この補正を、「色味差補正」という。
【００５８】
次に、具体的な補正係数算出方法の一例（補正テーブルを用いたもの）について説明する。
図１４は、図７に示した原稿の紙厚に対する原稿表面読み取り時のＲＧＢ比率の特性の一部を数値化したものである。なお、図１３に示した補正テーブルはＲＧＢ毎に存在する。
図７の例では、原稿の紙厚が１００〔ｇ／ｍ2〕の場合、つまり厚紙の原稿の場合に、ＲＧＢの出力が同一（比率がＲＧＢ共に３３．３％）となる。
原稿表面読み取り時の対応色の補正係数（対応色の表面補正係数）は、以下の演算式（数２）によって算出できる。
【００５９】
対応色の表面補正係数
＝厚紙原稿の表面を読み取った場合における対応色の比率
／使用する紙厚の原稿の表面を読み取った場合における対応色の比率・・・数２
例えば、紙厚５０〔ｇ／ｍ2〕の原稿の場合における対応色がレッドの場合の比率は、図１４から３３．７であるから、原稿の表面のレッドの補正係数は、数２の演算式によって以下に示すように算出できる。
レッドの補正係数＝３３．３／３３．７
【００６０】
なお、原稿裏面読み取り時の対応色の補正係数（対応色の裏面補正係数）は、数２の演算式の「表面」を「裏面」に置き換えたものである。
本体制御部１１１は、数２等の演算式より、工程で原稿の表面および裏面を第１読取部２０および第２読取部２５でそれぞれ読み取った場合における原稿の紙厚に応じた補正係数を算出し、それらの値を含む補正テーブルを本体制御部１１１内の不揮発性メモリに格納しておく。
【００６１】
そして、原稿の表面および裏面の各画像読み取り時に、その原稿表裏の出力より紙厚を算出し、補正テーブルより原稿表裏それぞれに対応する補正係数を選定し、原稿の表面および裏面の読み取り画像全域に対応する出力の補正に必要な補正係数をＲＧＢ毎に次式（数３）によって演算する。
対応色の補正後出力＝対応色の補正前出力×対応色補正係数・・・数３
数３の演算式による演算を行うことで、原稿の表面および裏面の各読み取り画像全域に対応する出力の補正（背景部材の影響によるＲＧＢバランスの変化分の補正）を行うことが可能となり、背景部材の影響による色味の変化に対応することができる。
【００６２】
次に、具体的な補正係数算出方法の他の例（近似式を用いたもの）について説明する。
図１０〜図１４では、補正テーブルを用いて原稿の表面および裏面の各読み取り画像に対応する出力を補正する手法について説明した。ここでは、近似式を用いて紙厚に応じてリニアに、原稿の表面および裏面の各読み取り画像に対応する出力を補正する手法について説明する。なお、ここではレッドの出力補正を例に説明する。
【００６３】
図１５は、原稿表裏のレッドの出力比率に対する原稿紙厚の特性例を示す線図である。
その関係は、原稿を同じ種類の紙で厚さを変えた場合における、図１１に示した原稿の紙厚に対するレッドの出力比率の特性に対応するものであり、細線は前述した補正テーブル作成のための工程から得られた値（実際値）を、太線は以下の演算式（数４）によって演算した値（理論値）をそれぞれ示している。
ｙ＝１０-06ｅ18.375x  ・・・数４
ここで、数４の「ｘ」はレッドの出力比率を、「ｙ」は原稿の紙厚をそれぞれ示す。
【００６４】
図１６は、図７に示した原稿の紙厚を変化させた場合における、その紙厚に対する背景部材の影響による原稿表面読み取り時のＲＧＢ比率の特性に相当するものであり、細線はそのＲＧＢ比率のうちのグリーン，ブルーの比率を、太線はそのレッドの比率に相当する数５の近似式（数５）によって演算した値をそれぞれ示す。
ｙ＝−３×１０-08ｘ3＋８×１０-06ｘ2−０．０００７ｘ＋０．３５７５  ・・・数５
ここで、数５の「ｘ」は原稿の紙厚を、「ｙ」はレッドの比率をそれぞれ示す。
【００６５】
本体制御部１１１は、原稿の表面および裏面の各画像読み取り時に、その原稿表裏のレッドの出力（原稿表面および原稿裏面のレッドの地肌出力）より原稿表裏のレッドの出力比率を算出し、数４の演算式より原稿の紙厚を算出する。その算出した紙厚より、数５の演算式を用いて紙厚に対するレッドの比率を求め、数２の演算式よりレッドの補正係数を算出する。そして、算出した補正係数を用いて数３の演算式より原稿の表面および裏面の各読み取り画像全域に対応する出力の補正を行う。
【００６６】
次に、具体的な地肌出力（地肌レベル）の検出処理の一例（原稿全域）について説明する。
図１７は原稿全域で地肌を検出する処理の説明に供する説明図であり、原稿Ｐの斜線で示す箇所が地肌レベルの検出エリアを示す。
図２の本体制御部１１１は、コントローラ部１００を介して原稿Ｐの読み取り開始ラインから主走査方向全域にかけて地肌レベルを検出し、副走査方向全域まで地肌を追従する。そして、ＲＧＢ毎に地肌レベル（Ｐｈ値）の全ラインの平均値を算出し、各色の地肌レベルとする。地肌追従については、既知の方法を用いることとする。なお、この例での地肌レベルの検出は、実際には原稿Ｐの表裏面について行う。
【００６７】
次に、具体的な地肌出力の検出処理の他の例（原稿先端）について説明する。
図１８は原稿先端で地肌を検出する処理の説明に供する説明図であり、原稿Ｐの斜線で示す箇所が地肌レベルの検出エリアを示す。
図２の本体制御部１１１は、コントローラ部１００を介して原稿Ｐの読み取り開始ラインから主走査方向全域にかけて地肌レベルを検出し、副走査方向の原稿先端から距離γまで地肌を追従する。そして、ＲＧＢ毎に地肌レベルの全ラインの平均値を算出し、各色の地肌レベルとする。
【００６８】
この例の場合、プレゼン資料等の原稿における副走査方向の原稿先端領域では余白部分があり、その原稿先端から距離γまでの地肌レベルを検出することができる。また、原稿全域の地肌レベルの検出と比較して、メモリ容量を低減することも可能である。地肌追従については、既知の方法を用いることとする。なお、この例での地肌レベルの検出も、実際には原稿Ｐの表裏面について行う。
【００６９】
次に、具体的な色変換について説明する。
図１９は、補正係数に対応する色空間マトリックスの一例を示す図である。
図２の本体制御部１１１は、算出した紙厚を元に、原稿の表面および裏面の各読み取り画像全域に対応するＲＧＢ出力に対してＲＧＢ別の各補正テーブル内の対応する補正係数（表面補正係数，裏面補正係数）をかける。その際に、各補正テーブル内の補正係数に応じた色空間マトリックス（表面色空間マトリックス，裏面色空間マトリックス）を用意することで、より精度よく色変換を行うことが可能となる。
【００７０】
次に、図２に示した本体制御部１１１およびコントローラ部１００による原稿両面に対する読み取り動作について説明する。
図２０は、その読み取り動作の一例を示すフローチャートである。
本体制御部１１１は、本体操作部１０８上のモード切替キーの操作に応じた信号により、原稿（両面原稿）の両面画像を読み取る両面モードを設定した後、プリントキーの押下に応じた信号により、コントローラ部１００に図１によって説明した原稿の給紙を開始させると共に、コントローラ部１００と共に図２０に示す読み取り動作を開始する。
【００７１】
本体制御部１１１は、図２０に示す読み取り動作の開始により、まずステップＳ１において、コントローラ部１００経由で第１読取部２０によって原稿の表面画像の読み取りを行わせ、ステップＳ２において、コントローラ部１００経由で受信した第１読取部２０の出力（読み取り画像）から地肌レベルであるＰｈ値（１）を検出する。
次に、ステップＳ３において、コントローラ部１００経由で第２読取部２５によって原稿の裏面画像の読み取りを行わせ、ステップＳ４において、コントローラ部１００経由で受信した第２読取部２５の出力から地肌レベルであるＰｈ値（２）を検出する。
【００７２】
その後、ステップＳ５において、検出したＰｈ値（１）とＰｈ値（２）とに基づいて原稿表裏のＲＧＢの出力比率（ＲＧＢバランス）を算出し、出力比率が３０％以下の色の有無を判断する。
そして、出力比率が３０％以下の色がある場合には、表裏画像の読み取りを行った原稿を色つき原稿と判断して、ステップＳ６へ移行し、表裏画像の読み取りを行った原稿の表面および裏面の各読み取り画像全域に対応するＲＧＢ出力の補正は行わない。
【００７３】
出力比率が３０％以下の色がない場合には、ステップＳ７へ移行し、算出した原稿表裏のＲＧＢの出力比率より表裏画像の読み取りを行った原稿の厚みを算出する。
その後、ステップＳ８へ進み、ＲＧＢ別の各補正テーブルよりステップＳ７で算出した厚みに対応する補正係数（表面補正係数，裏面補正係数）を読み出し、その補正係数を用いて表裏画像の読み取りを行った原稿の表面および裏面の各読み取り画像全域に対応するＲＧＢ出力に対して補正を行う。
【００７４】
このように、この第１実施形態の画像読取装置では、第１読取部と第２読取部の出力のうち、原稿の表面および裏面の地肌部分にそれぞれ対応する出力を地肌出力として検出し、その検出した地肌出力の比率から原稿の厚みを算出して、その算出結果に基づいて第１読取部および第２読取部による原稿の表面画像および裏面画像の読み取り時の出力（実際には出力の色味差）を補正することにより、第１読取部と第２読取部で異なる背景部材が使用されている場合でも、それらの背景部材の影響による表裏画像の色味差の発生を回避することができる。
【００７５】
さらに、以下の（１）〜（６）に示す作用効果を得ることもできる。
（１）上記算出結果に基づいて対応する補正係数を算出し、第１読取部および第２読取部による原稿の表面画像および裏面画像の読み取り時の出力を上記算出した補正係数を用いて補正することにより、メモリ容量を低減することもできる。
（２）使用可能な原稿の厚み毎に異なる補正係数を有する補正テーブルを備え、上記算出結果に基づいて補正テーブルから対応する補正係数を読み出し、第１読取部および第２読取部による原稿の表面画像および裏面画像の読み取り時の出力を上記読み出した補正係数を用いて補正することにより、正確な出力補正を行うができる。
【００７６】
（３）上記補正テーブルとしてＲＧＢにそれぞれ対応する複数の補正テーブルを備え、その各補正テーブルにそれぞれ対応する色空間マトリックスを備えることにより、ＲＧＢの出力補正を行う際に、より精度よく色変換を行うことが可能となる。
（４）第１読取部と第２読取部の原稿全体に対応する出力から地肌出力を検出することにより、その地肌出力の検出を確実に行うことができる。
【００７７】
（５）原稿の先端に対応する出力から地肌出力を検出することにより、メモリ容量を低減することができる。
（６）検出した地肌出力に応じて原稿の色を判断することにより、原稿表裏の出力比率が所定値以下の色の原稿を色つき原稿と判断して、出力補正を行わないため、処理効率の向上につながる。
【００７８】
〔第２実施形態〕
次に、この発明の第２実施形態である画像読取装置の制御系の機能構成について説明する。なお、その画像読取装置の機構部および制御系のハードウェア構成は、図１〜図４によって説明した第１実施形態と同様である。
図２１は、この発明の第２実施形態である画像読取装置の制御系の機能構成例を示すブロック図であり、図１，図２と同じ部分には同一符号を付している。
【００７９】
この画像読取装置は、第１読取部２０、第２読取部２５、第１地肌検出部５０１、第２地肌検出部５０２、紙厚特定部５０３、第１面蓄積部５０４、第２面蓄積部５０５、色味補正部５０６、および画像転送部５０７を備えている。これらのうち、第１地肌検出部５０１、第２地肌検出部５０２、紙厚特定部５０３、色味補正部５０６、および画像転送部５０７としての機能を、図２の本体制御部１１１がコントローラ部１００と共に本体制御部１１１が果す。また、第１面蓄積部５０４および第２面蓄積部５０５は、本体制御部１１１に内蔵されている（外付けされたものでもよい）フレームメモリ１２０上に割り当てられた領域（蓄積領域）に相当する。なお、第１読取部２０に代えて図４に示した第１読取部３０１を使用しても勿論よい。
【００８０】
原稿の表面（第１面）を読み取る第１読取部２０より入力される画像データは、対となる第１地肌検出部５０１を経てフレームメモリ１２０内の対応する第１面蓄積部５０４へと蓄積される。また、原稿の裏面（第２面）を読み取る第２読取部２５より入力される画像データは同じく対となる第２地肌検出部５０２を経てフレームメモリ１２０内の対応する第２面蓄積部５０５へと蓄積される。これらの処理は、第１読取部２０および第２読取部２５が配置されるレイアウト差に基づいて並行もしくは連続的に実施される。なお、第１読取部２０および第２読取部２５より入力される画像データを、以下「読み取り画像データ」という。
【００８１】
このとき、第１地肌検出部５０１による原稿表面の地肌検出結果と第２地肌検出部５０２による原稿裏面の地肌検出結果との差異に基づいて、紙厚特定部５０３により、その原稿の紙厚を特定（算出）する。なお、原稿の紙厚を特定する紙厚特定方式としては、第１実施形態における図１７および図１８等によって説明したように、原稿の表裏面全域の各地肌レベル検出結果の差異から紙厚を特定する方式（全域検出方式）と、原稿の表裏面先端領域の各地肌レベル検出結果の差異から紙厚を特定する方式（先端検出方式）とがある。つまり、この第２実施形態でも、それらの紙厚特定方式を用いることを前提としている。
【００８２】
フレームメモリ１２０へ蓄積された原稿の表裏面（各読み取り面）の読み取り画像データについては、紙厚特定部５０３により特定（算出）された紙厚に応じた補正係数（背景部材の色味差補正係数）を色味補正部５０６へ反映したうえで原稿の読み取り面毎に順次出力を実施する。このとき、色味補正部５０６が補正係数を用いて色味差補正を行う。そして、色味差補正を行った画像データを画像転送部５０７により画像利用者へ提供する。つまり、その画像利用者が使用するプリンタ（図２９に示す本体装置５００等）又はパーソナルコンピュータなどの外部機器へ転送する。
【００８３】
図２２は、図２１に示した画像読取装置における全域検出方式と先端検出方式を用いた連続動作（複数枚の原稿両面に対する連続読み取り動作）を従来の読み取り方式（色味差補正を実施しない方式）を用いた連続動作と比較して示すタイミングチャートである。
全域検出方式は、色味差補正の精度は高くなるが、例えば図２２の（ａ）に示すように、原稿の各読み取り面の全域の読み取り画像データをフレームメモリ１２０へ蓄積した後に色味差補正・転送を行うことになるため、連続動作時の読み取り効率およびメモリ使用量が不利となる。
【００８４】
しかし、先端検出方式は、全域検出方式と比較すると、色味差補正の精度は劣るが、例えば図２２の（ｂ）に示すように、原稿の各読み取り面の先端部の読み取り画像データのみをフレームメモリ１２０へ蓄積した後に色味差補正・転送を行うため、連続動作時の読み取り効率およびメモリ使用量が有利となる。
なお、原稿の地肌検出による色味差補正を実施しない従来の読み取り方式の場合、例えば図２２の（ｃ）に示すように、原稿の表面（第１面）の読み取り画像データについてはフレームメモリ１２０への蓄積は実施せずにそのまま外部機器への転送を実施する。
【００８５】
したがって、全域検出方式および先端検出方式のいずれを用いる場合でも、原稿の紙厚が特定されるまでは読み取り画像データを転送せずフレームメモリ１２０へ蓄積するため、１枚当たりの両面読み取り処理に要する時間が従来読み取り方式と比較して長くなり、連続読み取り時も含めて読み取り速度・効率が落ちてしまうという課題がある。
以下、図２２の（ａ）と（ｂ）で示したそれぞれの検出方式と対応する表裏の色味差補正の内容について、図２３のフローチャートを用いて説明する。
【００８６】
まず、図２１に示した画像読取装置における全域検出方式を用いた原稿両面に対する読み取り動作の第１例について説明する。
図２３は、その原稿両面に対する読み取り動作の第１例を示すフローチャートである。
この画像読取装置では、図２０によって説明した読み取り動作と同様のタイミングで図２３に示す読み取り動作を開始し、まずステップＳ１１において、原稿の両面画像を読み取るために、シートスルー読み取り動作（ＡＤＦを用いた読み取り動作）を開始する。このとき、図１の原稿テーブル２上の原稿を１枚給紙する。
【００８７】
それによって、第１読取部２０が原稿表面の読み取りを、第２読取部２５が原稿裏面の読み取りをそれぞれ開始し、原稿表裏のそれぞれの各読み取り面（表裏面）の読み込みを行う。このとき、その各読み取り面の読み取り画像データは、フレームメモリ１２０へと蓄積される。この読み取り画像データは、少なくとも対応する原稿の紙厚が特定されるまでそのまま保持される。
ステップＳ１２では、第１地肌検出部５０１および第２地肌検出部５０２により、原稿の各読み取り面の全領域を読み込んだ結果に基づいて、その各読み取り面の地肌レベルを検出する。このとき、原稿の各読み取り面の読み取り画像データは、全領域分がフレームメモリ１２０へ蓄積されている。
【００８８】
ステップＳ１３では、紙厚特定部５０３により、前ステップ１２で検出した原稿の各読み取り面の地肌レベルの差異（原稿表裏のＲＧＢの出力比率）に基づいて、その原稿の紙厚を特定（算出）し、その紙厚に応じた補正係数を算出（決定）する。
ステップＳ１４では、色味補正部５０６により、前ステップ１３で算出した補正係数を用いて色味差補正を開始する。
【００８９】
ステップＳ１５では、画像転送部５０７により、フレームメモリ１２０に蓄積された原稿の各読み取り面の読み取り画像データを読み取り面毎に順次転送する。このとき、その読み取り面毎に順次転送される読み取り画像データに対し、色味補正部５０６によって色味差補正が実施される。
以上のステップ１１〜１５を順次実施した後、ステップ１６で図１の原稿テーブル２から次に給紙すべき原稿（次の原稿）の有無をチェックする。
【００９０】
そして、次の原稿がない場合には、図２３の動作を終了する。
次の原稿がある場合には、その原稿が給紙されるため、ステップＳ１１に戻る。
そして、再びステップ１１〜１６の動作を順次行うが、その動作は次の原稿がなくなるまで繰り返し行われる。
したがって、連続動作時にも、各原稿の表裏画像の色味差の発生を回避することができる。
【００９１】
次に、図２１に示した画像読取装置における先端検出方式を用いた原稿両面に対する読み取り動作の第１例について説明する。
図２４は、その先端検出方式を用いた原稿両面に対する読み取り動作の第１例を示すフローチャートである。
この画像読取装置では、ステップＳ２１，Ｓ２３〜Ｓ２６において、図２３によって説明した全域検出方式を用いた原稿両面に対する読み取り動作のうち、ステップＳ１１，Ｓ１３〜Ｓ１６の動作と同様の動作を行う。
【００９２】
ステップＳ２２では、第１地肌検出部５０１および第２地肌検出部５０２により、原稿の各読み取り面の先端部分（先端領域）を読み込んだ結果に基づいて、その各読み取り面の地肌レベルを検出する。このとき、原稿の第１面の読み取り画像データは、地肌検出用の先端部分＋レイアウト配置差分（第１読み取り位置〜第２読み取り位置）がフレームメモリ１２０へ蓄積されている。原稿の第２面の読み取り画像データは、地肌検出用の先端部分のみがフレームメモリ１２０へ蓄積されている。これらの読み取り画像データは、少なくとも対応する原稿の紙厚が特定されるまでそのまま保持される。
【００９３】
したがって、図２４によって説明した読み取り動作（先端検出方式を用いた原稿両面に対する読み取り動作）によっても、図２３によって説明した読み取り動作（全域検出方式を用いた原稿両面に対する読み取り動作）と同様の効果を得ることができる。また、図２４によって説明した読み取り動作は、図２３によって説明した読み取り動作と比較すると、連続動作時の読み取り効率を考慮したタイミング制御、およびメモリ使用量という制御上の観点では有利となる。
【００９４】
次に、全域検出方式先端と検出方式を切り替えることによって、表裏色味差補正制御を効率良く、且つ補正精度も確保しつつ実施する原稿両面に対する読み取り動作について説明する。
図２５は、図２１に示した画像読取装置における全域検出方式先端と先端検出方式を前原稿（前ページ）との比較により切り替える原稿両面に対する読み取り動作の一例を示すフローチャートである。
【００９５】
この画像読取装置では、ステップＳ３１〜Ｓ３３において、図２４によって説明した先端検出方式を用いた原稿両面に対する読み取り動作のうち、ステップＳ２１〜Ｓ２３の動作と同様の動作を行う。
ステップＳ３４では、ステップ３３で特定（算出）した原稿の紙厚を紙厚履歴として設定されている前原稿（前回給紙された原稿）の紙厚と比較する。
【００９６】
そして、特定（算出）した原稿の紙厚が前原稿の紙厚と同じ場合には、ステップＳ３５へ移行し、色味補正部５０６により、ステップ３３で算出した補正係数を用いて色味差補正を開始する。
一方、特定（算出）した原稿の紙厚が前原稿の紙厚と異なる場合（今回給紙された原稿が１枚目の原稿などで比較対象の履歴がクリアされている場合を含む）には、ステップＳ４０へ移行する。そして、より精度の高い方式である全域地肌検出方式に切り替えて、ステップＳ４０とＳ４１を経てステップＳ３５以降の読み取り画像データの色味差補正と転送を実施できるようにする。
【００９７】
ステップＳ４０では、全域地肌検出方式に切り替えるため、図２３のステップＳ１２と同様に、第１地肌検出部５０１および第２地肌検出部５０２により、原稿の各読み取り面の全領域を読み込んだ結果に基づいて、その各読み取り面の地肌レベルを検出する。
ステップＳ４１では、紙厚特定部５０３により、前ステップ４０で検出した原稿の各読み取り面の地肌レベルの差異に基づいて、その原稿の紙厚を再度特定（算出）し、その紙厚に応じた補正係数を再度算出（決定）する。
【００９８】
その後のステップＳ３５では、色味補正部５０６により、ステップ４１で再度算出した補正係数を用いて色味差補正を開始する。
ステップＳ３６では、ステップＳ３３又はＳ４１で特定（算出）した原稿の紙厚の内容を、次の原稿（次回給紙する原稿）の紙厚と比較するために、紙厚履歴として本体制御部１１１内の不揮発性メモリに記憶（設定）する。
ステップＳ３７では、画像転送部５０７により、フレームメモリ１２０に蓄積された原稿の各読み取り面の読み取り画像データを読み取り面毎に順次転送する。このとき、その読み取り面毎に順次転送される読み取り画像データに対し、色味補正部５０６によって色味差補正が実施される。
【００９９】
その後のステップ３８では、図１の原稿テーブル２から次に給紙すべき原稿の有無をチェックし、次の原稿がなければ、つまり最終原稿の画像読み取りが完了した場合には、次回の両面画像の読み取りの際に、補正精度の高い全域検出方式による動作を行うために、不揮発性メモリ内の紙厚履歴をクリア（消去）し、図２５の動作を終了する。
次の原稿がある場合には、その原稿が給紙されるためステップＳ３１に戻り、再びステップ３１〜３８の動作を順次行うが、その動作は次の原稿がなくなるまで繰り返し行われる。
【０１００】
したがって、図２５によって説明した読み取り動作によれば、原稿の紙厚が不明確な場合には、処理速度が低下するが、より高精度な色味差補正を表裏面の読み取り画像データに対して実施することができる。また、原稿の紙厚が前原稿と同様であるならば、処理速度を向上させて連続読み取り動作を実施することができ、読み取り効率の向上と補正精度の向上の両立を図ることができる。
【０１０１】
次に、図２１に示した画像読取装置における全域検出方式を用いた原稿両面に対する読み取り動作の第２例について説明する。但し、図２３によって説明した全域検出方式を用いた原稿両面に対する読み取り動作と異なる部分を中心に説明する。
図２６は、図２１に示した画像読取装置における全域検出方式を用いた原稿両面に対する読み取り動作の第２例を示すフローチャートである。
この画像読取装置では、ステップＳ５２において、ステップＳ５１で図１の原稿テーブル２から給紙された原稿が１枚目の原稿であるか否かを判断する。
【０１０２】
そして、１枚目の原稿である場合には、ステップＳ５３，Ｓ５４の動作を許可し、ステップＳ５３，Ｓ５４において、図２３のステップＳ１２，Ｓ１３の動作と同様の動作を行う。ここで、ステップＳ５３，Ｓ５４の動作を許可する機能が動作許可手段としての機能であり、この機能は図２の本体制御部１１１がコントローラ部１００と共に果す。
続いて、ステップＳ５５において、ステップＳ５４で決定した補正係数（特定した原稿の紙厚でもよい）を本体制御部１１１内の不揮発性メモリに記憶する。
その後のステップＳ５６では、色味補正部５０６により、ステップＳ５４で算出（決定）した補正係数を用いて色味差補正を開始する。
【０１０３】
一方、ステップＳ５１で給紙された原稿が１枚目の原稿でない場合には、直ちにステップＳ５６へ移行し、色味補正部５０６により、ステップＳ５５で不揮発性メモリに記憶した補正係数を用いて色味差補正を開始する。なお、不揮発性メモリに補正係数ではなく紙厚が記憶されている場合には、色味補正部５０６により、その紙厚に応じた補正係数を算出したうえで、その補正係数を用いて色味差補正を開始する。
その後、図１の原稿テーブル２から次に給紙すべき原稿がなくなり、ステップＳ５９へ移行すると、不揮発性メモリ内の補正係数をクリアし、図２６の動作を終了する。
【０１０４】
したがって、図２６によって説明した読み取り動作によれば、１枚目の原稿の各読み取り面の地肌レベルのみを検出して、その原稿の紙厚を特定（算出）し、その紙厚に応じた補正係数を算出するだけで、連続動作時における各原稿の表裏画像の色味差の発生を回避することができる。
【０１０５】
次に、図２１に示した画像読取装置における先端検出方式を用いた原稿両面に対する読み取り動作の第２例について説明する。但し、図２６によって説明した全域検出方式を用いた原稿両面に対する読み取り動作と異なる部分であるステップＳ６３の地肌検出についてのみ説明する。
【０１０６】
図２７は、図２１に示した画像読取装置における全域検出方式を用いた原稿両面に対する読み取り動作の第２例を示すフローチャートである。
この画像読取装置では、ステップＳ６１，Ｓ６２，Ｓ６４〜Ｓ６９において、図２６によって説明した全域検出方式を用いた原稿両面に対する読み取り動作のうち、ステップＳ５１，Ｓ５２，Ｓ５４〜Ｓ５９の動作と同様の動作を行う。
ステップＳ６３では、図２４のステップＳ２２の動作と同様の動作を行う。
【０１０７】
したがって、図２７によって説明した読み取り動作によっても、図２６によって説明した読み取り動作と同様の効果を得ることができる。また、図２７によって説明した読み取り動作は、図２６によって説明した読み取り動作と比較すると、連続動作時の読み取り効率を考慮したタイミング制御、およびメモリ使用量という制御上の観点では有利となる。
なお、図２３，図２４，図２６，図２７によって説明した読み取り動作時における色味差補正の実施の有無やその実施時に使用する紙厚特定方式を、ユーザからの指示（実際にはユーザによる操作部上での操作によって発生する指示）によって予め設定しておくことも可能である。
【０１０８】
次に、図２１に示した画像読取装置が、色味差補正を原稿裏面の読み取り画像データのみに実施して、原稿の画像読み取りのスループット（生産性）を向上させる例について説明する。
図２８は、図２１に示した画像読取装置における原稿裏面の読み取り画像データのみに実施する色味差補正を含む全域検出方式と先端検出方式を用いた連続動作を示すタイミングチャートであり、（ａ）は全域検出方式を用いた連続動作を、（ｂ）は先端検出方式を用いた連続動作をそれぞれ示している。
【０１０９】
図２２の（ａ）（ｂ）によって説明した連続動作は、原稿の表面（第１面）と裏面（第２面）の地肌検出結果から、その原稿の紙厚を特定し、表裏面の読み取り画像データのそれぞれに色味差補正を実施するものである。しかし、図２８の（ａ）（ｂ）に示す連続動作は、原稿表面の読み取り画像データには色味差補正を実施せず、原稿裏面の読み取り画像データのみに色味差補正を実施することで、更に原稿の画像読み取りのスループットを向上させることもできる。
【０１１０】
具体的には、原稿の表裏面の地肌検出結果から得られた原稿の紙厚に対応する、原稿表面の読み取り画像データに対する色味差補正を実施するための係数をαとし、原稿裏面の読み取り画像データに対する色味差補正を実施するための係数をβとしたときに、次のようにする。つまり、原稿表面の読み取り画像データに対しては色味差補正を実施せず、原稿裏面の読み取り画像データに対してのみ補正係数を「β／α」として色味差補正を実施する。このとき、原稿表面の読み取り画像データについては、フレームメモリ１２０への蓄積および色味差補正は実施せずにそのまま転送を実施し、原稿裏面の読み取り画像データのみ必要に応じてフレームメモリ１２０へ蓄積して補正係数「β／α」により色味差補正を実施する。
【０１１１】
したがって、このような全域検出方式又は先端検出方式を用いた原稿両面に対する読み取り動作によれば、図２３又は図２４によって説明した読み取り動作と同様の効果に加え、以下に示す効果も得ることができる。つまり、原稿裏面の読み取り画像データに対する色味差補正を実施して原稿表面の読み取り画像データとの色味差を低減することができる。また、表裏面の読み取り画像データに対してそれぞれ色味差補正を行う場合と比較して、処理速度を向上させて連続読み取りを実施することができ、読み取り効率の向上を図ることができる。
【０１１２】
以上、この発明を画像読取装置に適用した実施形態について説明したが、この発明はこれに限らず、その画像読取装置を搭載したデジタル複写機，ファクシミリ装置，プリンタ等の各種画像形成装置にも適用可能である。それによって、画像形成装置本体が画像読取装置からの色味差補正がなされたＲ，Ｇ，Ｂの画像データ（又は単色の画像データ）を画像形成用のイエロー（Ｙ），マゼンタ（Ｍ），シアン（Ｃ），ブラック（Ｋ）の画像データ（又は単色の画像データ）に変換し、可視画像として用紙等の記録媒体に画像形成することができ、高品質の画像を得ることができる。
【０１１３】
〔第３実施形態〕
次に、この発明の第３実施形態である画像形成装置の機構部の構成について説明する。
図２９は、この発明の第３実施形態である画像形成装置の機構部の構成例を示す全体構成図であり、図１，図４と同じ部分には同一符号を付している。
【０１１４】
この第３実施形態の画像形成装置は、プリンタ機能、コピー機能、およびファクシミリ機能を有する複合機（ＭＦＰ：Ｍｕｌｔｉｆｕｎｃｔｉｏｎ  Ｐｅｒｉｐｈｅｒａｌ）である。
この画像形成装置は、図１の第１読取部２０を図４に示した第１読取部３０１に変更した画像読取装置（両面同時読取装置）３００を搭載する共に、プリンタを構成する本体装置５００を備えている。よって、この画像形成装置は、第１又は第２実施形態の画像読取装置と同様の機能も有する。
【０１１５】
この画像形成装置の本体装置５００は、画像読取装置３００によって読み取った画像データ（カラー画像データ又はモノクロ画像データ）を可視画像として用紙（他の記録媒体でもよい）に画像形成（以下「印刷」ともいう）する。
また、通信機能を介して外部からファクシミリ受信した画像データ、あるいはインターネットを介して受信した画像データを可視画像として用紙に印刷することもできる。
さらに、画像読取装置３００によって読み取った画像データをファクシミリ送信、あるいはインターネットを介した通信によって外部のファクシミリ装置や情報処理装置へ送ることもできる。
【０１１６】
この本体装置５００は、図２のコントローラ部１００からの画像データに基づく指示により、４個の感光体（ドラム状の感光体の場合「感光体ドラム」とも呼ぶ）５１ｙ〜５１ｋのそれぞれの表面上に静電潜像を形成する複数のミラーやレンズを含む露光部を備えた露光装置５５を備えている。各感光体５１ｙ〜５１ｋは、それぞれ表面にイエロー（Ｙ）、マゼンタ（Ｍ）、シアン（Ｃ）、ブラック（Ｋ）の各トナー画像が書き込まれる像担持体である。
【０１１７】
各感光体５１ｙ〜５１ｋの周りには、各感光体５１ｙ〜５１ｋのそれぞれの表面を帯電処理する各帯電装置５２ｙ〜５２ｋと、各感光体５１ｙ〜５１ｋのそれぞれの表面に形成された静電潜像をそれぞれの色のトナーで可視像化してトナー画像を形成する各現像装置５３ｙ〜５３ｋとを設けている。また、各感光体５１ｙ〜５１ｋ上にそれぞれ形成されたトナー画像を中間転写ベルト５０上に重ねるように転写した後に、各感光体５１ｙ〜５１ｋに残ったトナーを回収する各クリーニング装置５４ｙ〜５４ｋも設けている。
【０１１８】
中間転写ベルト５０は、各感光体５１ｙ〜５１ｋのいずれか１つに書き込まれた単色のトナー画像が転写、又は各感光体５１ｙ〜５１ｋにそれぞれ書き込まれた各色のトナー画像が重ねて転写される転写体（転写手段）である。
この本体装置５００は、カラー印刷の場合、中間転写ベルト５０に、各感光体５１ｙ〜５１ｋに書き込まれた各トナー画像を重ねるように転写し、カラーのトナー画像を形成する。また、モノクロ印刷の場合、中間転写ベルト５０に、感光体５１ｋに書き込まれたブラックのトナー画像を転写し、モノクロのトナー画像を形成する。
【０１１９】
一方、それぞれ異なるサイズの用紙を収納している複数の給紙カセット部５６のいずれかから対応する給紙ローラ５７によって給紙された用紙Ｓは、レジストローラ部５８において一旦停止し、中間転写ベルト５０の回動と同期をとって再給紙され、転写ローラ部５９によって中間転写ベルト５０上のトナー画像を用紙Ｓに転写する。トナー画像が転写された用紙Ｓは定着装置６０によって定着処理され、最後に排紙ロ―ラ６１によって排紙収納部６２に排出される。
なお、この画像形成装置の画像読取装置３００を、図１に示したものに変更することも勿論できる。
【０１２０】
〔プログラム〕
このプログラムは、機器（第１又は第２実施形態の画像読取装置あるいは第３実施形の画像形成装置）を制御するコンピュータ（ＣＰＵ）に、地肌出力検出手段，厚み算出手段，出力補正手段，色判断手段，および動作許可手段等としての機能を実現させるためのプログラムであり、このようなプログラムをコンピュータに実行させることにより、上述したような作用効果を得ることができる。
【０１２１】
このようなプログラムは、はじめから機器に備えるＲＯＭ、あるいは不揮発性メモリ（フラッシュＲＯＭ，ＥＥＰＲＯＭ等）、あるいはＨＤＤ（ハードディスク装置）などの記憶手段に格納しておいてもよいが、記録媒体であるＣＤ−ＲＯＭ、あるいはメモリカード，フレキシブルディスク，ＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，又はＤＶＤ−ＲＡＭ等の不揮発性記録媒体（メモリ）に記録して提供することもできる。それらの記録媒体に記録されたプログラムを機器にインストールしてＣＰＵに実行させるか、ＣＰＵにそれらの記録媒体からこのプログラムを読み出して実行させることにより、上述した各手順を実行させることができる。
【０１２２】
さらに、ネットワークに接続され、プログラムを記録した記録媒体を備える外部機器あるいはプログラムを記憶手段に記憶した外部機器からダウンロードして実行させることも可能である。
なお、この発明は上述した各実施形態に限定されるものではなく、特許請求の範囲に記載された技術思想に含まれる技術的事項の全てが対象となることは言うまでもない。
【符号の説明】
【０１２３】
１８，３０３：コンタクトガラス    １９：第１読取ローラ
２０，３０１：第１読取部    ２５：第２読取部    ２６：第２読取ローラ
３２：搬送ガイド    １００：コントローラ部    １１１：本体制御部
１２０，２０６：フレームメモリ    ２００，３０４：光源部    ２０１：センサチップ
２０２：アンプ回路    ２０３：Ａ／Ｄコンバータ    ２０４：黒補正部
２０５：画像処理部    ２０７：出力制御回路    ２０８：Ｉ／Ｆ回路
３００：画像読取装置    ３０５：第１反射ミラー    ３０６：第１キャリッジ
３０７：第２反射ミラー    ３０８：第３反射ミラー    ３０９：第２キャリッジ
３１０：ＣＣＤ    ３１４：信号処理基板    ５００：本体装置
５０１：第１地肌検出部    ５０２：第２地肌検出部    ５０３：紙厚特定部
５０４：第１面蓄積部    ５０５：第２面蓄積部    ５０６：色味補正部
５０７：画像転送部
【先行技術文献】
【特許文献】
【０１２４】
【特許文献１】特開２００８−１８７４６６号公報
【図１】
0005915123.tif 000002
【図２】
0005915123.tif 000003
【図３】
0005915123.tif 000004
【図４】
0005915123.tif 000005
【図５】
0005915123.tif 000006
【図６】
0005915123.tif 000007
【図７】
0005915123.tif 000008
【図８】
0005915123.tif 000009
【図９】
0005915123.tif 000010
【図１０】
0005915123.tif 000011
【図１１】
0005915123.tif 000012
【図１２】
0005915123.tif 000013
【図１３】
0005915123.tif 000014
【図１４】
0005915123.tif 000015
【図１５】
0005915123.tif 000016
【図１６】
0005915123.tif 000017
【図１７】
0005915123.tif 000018
【図１８】
0005915123.tif 000019
【図１９】
0005915123.tif 000020
【図２０】
0005915123.tif 000021
【図２１】
0005915123.tif 000022
【図２２】
0005915123.tif 000023
【図２３】
0005915123.tif 000024
【図２４】
0005915123.tif 000025
【図２５】
0005915123.tif 000026
【図２６】
0005915123.tif 000027
【図２７】
0005915123.tif 000028
【図２８】
0005915123.tif 000029
【図２９】
0005915123.tif 000030